(57)【特許請求の範囲】
【請求項１】
カメラ付ドアホン子器に接続され、カメラ付ドアホン子器との間における通話状態と、カメラ付ドアホン子器側の映像および音声を監視するモニタ状態とをそれぞれ切り替えて実行する構成としたテレビインターホン親機において、
上記通話状態と上記モニタ状態との双方を実行するために操作する通話／モニタ釦を少なくとも備えており、
上記カメラ付ドアホン子器からの呼出状態において、上記通話／モニタ釦が操作されたときには、上記通話状態を実行する一方、
待機状態で上記通話／モニタ釦が操作されたときには、上記モニタ状態を実行し、その状態で、上記通話／モニタ釦が操作された際に、上記通話／モニタ釦が操作された時間が所定時間以上のときには、上記通話状態を実行し、上記通話／モニタ釦が操作された時間が所定時間未満のときには、上記待機状態に戻すことを特徴とするテレビインターホン親機。
【請求項２】
カメラ付ドアホン子器に接続され、カメラ付ドアホン子器との間における通話状態と、カメラ付ドアホン子器側の映像および音声を監視するモニタ状態とをそれぞれ切り替えて実行する構成としたテレビインターホン親機において、
上記通話状態と上記モニタ状態との双方を実行するために操作する通話／モニタ釦を少なくとも備えており、
上記カメラ付ドアホン子器からの呼出状態において、上記通話／モニタ釦が操作されたときには、上記通話状態を実行する一方、
待機状態において上記通話／モニタ釦が操作されたときには、上記モニタ状態を実行し、その状態で、上記通話／モニタ釦が操作された際に、上記通話／モニタ釦が操作された時間が所定時間以上のときには、上記待機状態に戻し、上記通話／モニタ釦が操作された時間が所定時間未満のときには、上記通話状態を実行することを特徴とするテレビインターホン親機。
【請求項３】
カメラ付ドアホン子器に接続され、カメラ付ドアホン子器との間における通話状態と、カメラ付ドアホン子器側の映像および音声を監視するモニタ状態とをそれぞれ切り替えて実行する構成としたテレビインターホン親機において、
上記通話状態と上記モニタ状態との双方を実行するために操作する通話／モニタ釦を少なくとも備えており、
上記カメラ付ドアホン子器からの呼出状態において、上記通話／モニタ釦が操作されたときには、上記通話状態を実行する一方、
待機状態において上記通話／モニタ釦が操作されたときには、上記モニタ状態を実行し、その状態で、上記通話／モニタ釦が操作されたときには、上記通話状態を実行し、更にその状態で、上記通話／モニタ釦が操作されたときには、上記待機状態に戻すことを特徴とするテレビインターホン親機。
【請求項４】
カメラ付ドアホン子器に接続され、カメラ付ドアホン子器との間における通話状態と、カメラ付ドアホン子器側の映像および音声を監視するモニタ状態とをそれぞれ切り替えて実行する構成としたテレビインターホン親機において、
上記通話状態と上記モニタ状態との双方を実行するために操作する通話／モニタ釦を少なくとも備えており、
上記カメラ付ドアホン子器からの呼出状態において、上記通話／モニタ釦が操作されたときには、上記通話状態を実行する一方、
待機状態において上記通話／モニタ釦が操作された際には、上記通話／モニタ釦が操作された時間が所定時間以上のときには、上記モニタ状態を実行し、上記通話／モニタ釦が操作された時間が所定時間未満のときには、上記通話状態を実行することを特徴とするテレビインターホン親機。
【請求項５】
カメラ付ドアホン子器に接続され、カメラ付ドアホン子器との間における通話状態と、カメラ付ドアホン子器側の映像および音声を監視するモニタ状態とをそれぞれ切り替えて実行する構成としたテレビインターホン親機において、
上記通話状態と上記モニタ状態との双方を実行するために操作する通話／モニタ釦を少なくとも備えており、
上記カメラ付ドアホン子器からの呼出状態において、上記通話／モニタ釦が操作されたときには、上記通話状態を実行する一方、
待機状態において上記通話／モニタ釦が操作された際には、上記通話／モニタ釦が操作された時間が所定時間以上のときには、上記通話状態を実行し、上記通話／モニタ釦が操作された時間が所定時間未満のときには、上記モニタ状態を実行することを特徴とするテレビインターホン親機。
【請求項６】
カメラ付ドアホン子器に接続され、カメラ付ドアホン子器との間における通話状態と、カメラ付ドアホン子器側の映像および音声を監視するモニタ状態とをそれぞれ切り替えて実行する構成としたテレビインターホン親機において、
上記通話状態と上記モニタ状態との双方を実行するために操作する通話／モニタ釦を少なくとも備えており、
上記カメラ付ドアホン子器からの呼出状態において、上記通話／モニタ釦が操作されたときには、上記通話状態を実行する一方、
待機状態において上記通話／モニタ釦が所定時間内に所定回数以上操作されたときには、上記通話状態を実行し、上記通話／モニタ釦が所定時間内に所定回数未満操作されたときには、上記モニタ状態を実行することを特徴とするテレビインターホン親機。
【請求項７】
カメラ付ドアホン子器に接続され、カメラ付ドアホン子器との間における通話状態と、カメラ付ドアホン子器側の映像および音声を監視するモニタ状態とをそれぞれ切り替えて実行する構成としたテレビインターホン親機において、
上記通話状態と上記モニタ状態との双方を実行するために操作する通話／モニタ釦を少なくとも備えており、
上記カメラ付ドアホン子器からの呼出状態において、上記通話／モニタ釦が操作されたときには、上記通話状態を実行する一方、
待機状態において上記通話／モニタ釦が所定時間内に所定回数以上操作されたときには、上記モニタ状態を実行し、上記通話／モニタ釦が所定時間内に所定回数未満操作されたときには、上記通話状態を実行することを特徴とするテレビインターホン親機。
【請求項８】
請求項１〜７のいずれかにおいて、
表示手段を更に備えており、
上記通話状態を実行中には、上記表示手段によって、上記通話状態を実行中であることを表示することを特徴とするテレビインターホン親機。
【発明の詳細な説明】
【０００１】
【発明の属する技術分野】
本発明は、カメラ付ドアホン子器に接続され、カメラ付ドアホン子器からの呼出に対して応答して通話したり、カメラ付ドアホン子器側の映像や音声を確認することのできるテレビインターホン親機の改良に関する。
【０００２】
【従来の技術】
近時、主に一般住宅においては、テレビインターホン親機が広く導入されており、カメラ付ドアホン子器やテレビインターホン副親機などと組み合わせて構成したテレビインターホンシステムとして使用されることが多い。
このようなテレビインターホンシステムの一例を図９に示す。
【０００３】
このシステムでは、テレビインターホン親機１００には、信号線Ｌを介して、玄関先に設置されたカメラ付ドアホン子器２００が接続されており、テレビインターホン親機１００は、カメラ付ドアホン子器２００からの呼出に対して、呼出音を出力する（いわゆる呼出状態）とともに、カメラ付ドアホン子器２００側の映像をモニタ画面１２０Ａに映し出すことで、住居人を呼び出し、住居人が通話釦１４０Ｂを操作して応答したときに、カメラ付ドアホン子器２００との間で通話できるようになっている（いわゆる通話状態）。
【０００４】
また、テレビインターホン親機１００は、待機状態において、住居人によってモニタ釦１４０Ｃが操作されたときには、カメラ付ドアホン子器２００側の映像をモニタ画面１２０Ａに映し出すとともに、子器２００側の音声を出力することで、住居人が、玄関先の様子を映像と音声とで確認できるようになっている（いわゆるモニタ状態）。なお、図中、１２０Ｂは通話状態であることを住居人に報知するための表示灯を示している。
【０００５】
このようなテレビインターホン親機１００において、通話釦１４０Ｃやモニタ釦１４０Ｂの操作を検知する釦操作検知部は、例えば、図１０に示すような構成となっており、図１０（ａ）に示す釦操作検知部１４０では、通話釦１４０Ｂ，モニタ釦１４０Ｃが操作されると、ＣＰＵなどで構成される主制御部１１０の入力ポートＰ１，Ｐ２に、それぞれ５／Ｒ２（Ｖ），５／Ｒ１（Ｖ）の電圧が印加されるので、主制御部１１０は、これらの電圧印加により、いずれの釦１４０Ｂ，１４０Ｃが操作されたかを判別するようになっている。
【０００６】
一方の図１０（ｂ）に示す釦操作検知部１４０’では、通話釦１４０Ｂ，１４０Ｃが操作されると、主制御部１１０の入力ポートＰ１には、それぞれ０（Ｖ），Ｒ２×５／（Ｒ１＋Ｒ２）（Ｖ）の電圧が印加されるので、主制御部１１０は、これらの印加電圧値の異なりにより、いずれの釦１４０Ｂ，１４０Ｃが操作されたかを判別するようになっている。なお、上記した印加電圧値に含まれるＲ１，Ｒ２は、それぞれ、抵抗器Ｒ１，Ｒ２の抵抗値を示している。
【０００７】
【発明が解決しようとする課題】
ところで、上記した従来のテレビインターホン親機では、通話釦とモニタ釦は、それぞれ別個に設けられているので、これらの釦を区別して操作することが難しいといった問題点があった。また、釦操作検知部も、通話釦とモニタ釦との双方の操作に対応するような回路構成としなければならないため、そのための部品点数やコストがかかっていた。
【０００８】
本発明は、上記事情を考慮してなされたものであり、通話釦とモニタ釦との双方の機能を有する操作釦を備え、この釦を操作することで、通話状態とモニタ状態の双方を実行することのできる、新規な構成のテレビインターホン親機を提供することを目的としている。
【０００９】
【課題を解決するための手段】
上記目的を達成するために、本発明の請求項１に記載のテレビインターホン親機では、通話状態とモニタ状態との双方を実行するために操作する通話／モニタ釦を少なくとも備えており、カメラ付ドアホン子器からの呼出状態において、通話／モニタ釦が操作されたときには、通話状態を実行する一方、待機状態で通話／モニタ釦が操作されたときには、モニタ状態を実行し、その状態で、通話／モニタ釦が操作された際に、通話／モニタ釦が操作された時間が所定時間以上のときには、通話状態を実行し、通話／モニタ釦が操作された時間が所定時間未満のときには、待機状態に戻す。
【００１０】
請求項２に記載のテレビインターホン親機では、通話状態とモニタ状態との双方を実行するために操作する通話／モニタ釦を少なくとも備えており、カメラ付ドアホン子器からの呼出状態において、通話／モニタ釦が操作されたときには、通話状態を実行する一方、待機状態において通話／モニタ釦が操作されたときには、モニタ状態を実行し、その状態で、通話／モニタ釦が操作された際に、通話／モニタ釦が操作された時間が所定時間以上のときには、待機状態に戻し、通話／モニタ釦が操作された時間が所定時間未満のときには、通話状態を実行する。
【００１１】
請求項３に記載のテレビインターホン親機では、通話状態とモニタ状態との双方を実行するために操作する通話／モニタ釦を少なくとも備えており、カメラ付ドアホン子器からの呼出状態において、通話／モニタ釦が操作されたときには、通話状態を実行する一方、待機状態において通話／モニタ釦が操作されたときには、モニタ状態を実行し、その状態で、通話／モニタ釦が操作されたときには、通話状態を実行し、更にその状態で、通話／モニタ釦が操作されたときには、待機状態に戻す。
【００１２】
請求項４に記載のテレビインターホン親機では、通話状態とモニタ状態との双方を実行するために操作する通話／モニタ釦を少なくとも備えており、カメラ付ドアホン子器からの呼出状態において、通話／モニタ釦が操作されたときには、通話状態を実行する一方、待機状態において通話／モニタ釦が操作された際には、通話／モニタ釦が操作された時間が所定時間以上のときには、モニタ状態を実行し、通話／モニタ釦が操作された時間が所定時間未満のときには、通話状態を実行する。
【００１３】
請求項５に記載のテレビインターホン親機では、通話状態とモニタ状態との双方を実行するために操作する通話／モニタ釦を少なくとも備えており、カメラ付ドアホン子器からの呼出状態において、通話／モニタ釦が操作されたときには、通話状態を実行する一方、待機状態において通話／モニタ釦が操作された際には、通話／モニタ釦が操作された時間が所定時間以上のときには、通話状態を実行し、通話／モニタ釦が操作された時間が所定時間未満のときには、モニタ状態を実行する。
【００１４】
請求項６に記載のテレビインターホン親機では、通話状態とモニタ状態との双方を実行するために操作する通話／モニタ釦を少なくとも備えており、カメラ付ドアホン子器からの呼出状態において、通話／モニタ釦が操作されたときには、通話状態を実行する一方、待機状態において通話／モニタ釦が所定時間内に所定回数以上操作されたときには、通話状態を実行し、通話／モニタ釦が所定時間内に所定回数未満操作されたときには、モニタ状態を実行する。
【００１５】
請求項７に記載のテレビインターホン親機では、通話状態とモニタ状態との双方を実行するために操作する通話／モニタ釦を少なくとも備えており、カメラ付ドアホン子器からの呼出状態において、通話／モニタ釦が操作されたときには、通話状態を実行する一方、待機状態において通話／モニタ釦が所定時間内に所定回数以上操作されたときには、モニタ状態を実行し、通話／モニタ釦が所定時間内に所定回数未満操作されたときには、通話状態を実行する。
【００１６】
請求項８に記載のテレビインターホン親機では、表示手段を更に備えており、通話状態を実行中には、表示手段によって、通話状態を実行中であることを表示する。
【００１７】
【発明の実施の形態】
以下に、本発明の実施の形態について、図面とともに説明する。
図１は本発明のテレビインターホン親機の内部構成の一例を示す図であり、図２はその外観の一例を示す図である。
このテレビインターホン親機１は、信号線Ｌを介してカメラ付ドアホン子器と接続された状態で使用され、ＣＰＵなどで構成され、以下の各部を制御する主制御部１０と、呼出状態、通話状態、モニタ状態（いずれも後述）において、信号線Ｌを介してカメラ付ドアホン子器に電源を供給する子器給電部１１と、モニタ画面１２Ａと表示灯１２Ｂとを有する表示部１２と、スピーカＳＰとマイクＭＩとを有し、カメラ付ドアホン子器と通話をするための通話部１３と、通話／モニタ釦１４Ａを有する釦操作検知部１４とを備える。
【００１８】
釦操作検知部１４は、例えば、図３に示すように、通話／モニタ釦１４Ａが操作されると、主制御部１０の入力ポートＰ１に、５／Ｒ１（Ｖ）の電圧が印加され、この印加電圧を主制御部１０が検知することで、通話／モニタ釦１４Ａの操作を検知する構成となっている。
ここで、このテレビインターホン親機１において、主制御部１は本発明の制御手段を構成し、表示灯１２Ｂは本発明の表示手段を構成している。
【００１９】
このようなテレビインターホン親機１を用いて構成したテレビインターホンシステムの一例を図４に示す。
このシステムは、テレビインターホン親機１に、信号線Ｌを介してカメラ付ドアホン子器２を接続することで構成されており、カメラ付ドアホン子器２が操作されると、テレビインターホン親機１では、主制御部１０が、スピーカＳＰより呼出音（例えば「ピンポンピンポン」）を出力させるとともに、表示部１２により、カメラ付ドアホン子器２側の映像をモニタ画面１２Ａに映し出すことで、住居人を呼び出し（いわゆる呼出状態）、住居人が通話／モニタ釦１４Ａを操作して応答したときに、カメラ付ドアホン子器２との間で、マイクＭＩとスピーカＳＰとを介した通話ができるようになっている（いわゆる通話状態）。
【００２０】
このような基本動作をなすテレビインターホン親機１の第１実施例について説明する。
すなわち、第１実施例のテレビインターホン親機１では、待機状態で、通話／モニタ釦１４Ａが操作されたときには、主制御部１０は、釦操作検知部１４より前述したような電圧が印加されるので、この電圧印加より通話／モニタ釦１４Ａが操作されたことを検知して、モニタ状態を実行し、カメラ付ドアホン子器２側の映像をモニタ画面１２Ａに映し出すとともに、子器２側の音声を出力することで、住居人が、玄関先の様子を映像と音声とで確認できるようにする。
【００２１】
このモニタ状態の実行中に、通話／モニタ釦１４Ａが再度操作されたときには、主制御部１は、通話／モニタ釦１４Ａの操作された時間により、待機状態に戻すか通話状態を実行するかを判断するようになっており、この動作について、図５のタイムチャートとともに説明する。
すなわち、図５（ａ）に示すように、モニタ状態で、通話／モニタ釦１４Ａが再度操作された時間ｔが、所定時間Ｔ未満であれば待機状態に戻す一方、図５（ｂ）に示すように、モニタ状態で、通話／モニタ釦１４Ａが再度操作された時間ｔが、所定時間Ｔ以上であれば通話状態を実行する。ここで、通話状態を実行中には、主制御部１０は、表示灯１２Ｂを点灯あるいは点滅させ、通話状態であることを住居人に報知するようになっている。
【００２２】
なお、ここでは、モニタ状態で、通話／モニタ釦１４Ａが再度操作された時間ｔが、所定時間Ｔ未満であれば待機状態に戻す一方、所定時間Ｔ以上であれば通話状態を実行するようにしているが、本発明はこの例に限られず、モニタ状態で、通話／モニタ釦１４Ａが再度操作された時間ｔが、所定時間Ｔ未満であれば通話状態を実行する一方、所定時間Ｔ以上であれば待機状態に戻すようにしてもよい。
【００２３】
次に、テレビインターホン親機１の第２実施例について説明する。
第２実施例のテレビインターホン親機１では、図６のタイムチャートに示すように、待機状態で、通話／モニタ釦１４Ａが操作されたときには、主制御部１０は、前述したような釦操作検知をしてモニタ状態を実行し、その状態で通話／モニタ釦１４Ａが操作されたときには、通話状態を実行し、更にその状態で通話／モニタ釦１４Ａが操作されたときには、待機状態に戻す。
【００２４】
次に、テレビインターホン親機１の第３実施例について説明する。
第３実施例のテレビインターホン親機１では、図７のタイムチャートに示すように、待機状態で、通話／モニタ釦１４Ａが操作されたときには、主制御部１は、通話／モニタ釦１４Ａの操作された時間により、モニタ状態を実行するか通話状態を実行するかを判断するようになっており、図７（ａ）に示すように、待機状態で、通話／モニタ釦１４Ａが操作された時間ｔが、所定時間Ｔ未満であればモニタ状態を実行する一方、図７（ｂ）に示すように、待機状態で、通話／モニタ釦１４Ａが操作された時間ｔが、所定時間Ｔ以上であれば通話状態を実行する。
【００２５】
なお、ここでは、待機状態で、通話／モニタ釦１４Ａが操作された時間ｔが、所定時間Ｔ未満であればモニタ状態を実行する一方、所定時間Ｔ以上であれば通話状態を実行するようにしているが、本発明はこの例に限られず、通話／モニタ釦１４Ａが操作された時間ｔが、所定時間Ｔ未満であれば通話状態を実行する一方、所定時間Ｔ以上であればモニタ状態を実行するようにしてもよい。
【００２６】
次に、テレビインターホン親機１の第４実施例について説明する。
第４実施例のテレビインターホン親機１では、主制御部１０は、待機状態において、通話／モニタ釦１４Ａが所定時間内に何回操作されたかを判別し、その操作回数に応じて、モニタ状態を実行するか通話状態を実行するかを判断するようになっており、この動作について、図８のタイムチャートとともに説明する。
【００２７】
すなわち、図８（ａ）に示すように、通話／モニタ釦１４Ａが所定時間Ｔ内に、所定回数（例えば２回）未満操作されたときには、モニタ状態を実行する一方、図８（ｂ）に示すように、通話／モニタ釦１４Ａが所定時間Ｔ内に、所定回数（例えば２回）以上操作されたときには、通話状態を実行する。
なお、ここでは、通話／モニタ釦１４Ａが所定時間Ｔ内に、所定回数未満操作されたときには、モニタ状態を実行する一方、所定回数以上操作されたときには、通話状態を実行するようにしているが、本発明はこの例に限られず、通話／モニタ釦１４Ａが所定時間Ｔ内に、所定回数未満操作されたときには、通話状態を実行する一方、所定回数以上操作されたときには、モニタ状態を実行するようにしてもよい。
【００２８】
【発明の効果】
以上の説明からも理解できるように、本発明の請求項１〜８のいずれかに記載のテレビインターホン親機では、通話／モニタ釦の操作に応じて、カメラ付ドアホン子器との間における通話状態と、カメラ付ドアホン子器側の映像および音声を監視するモニタ状態との双方を実行するので、従来のように、通話状態を実行するには通話釦を操作し、モニタ状態を実行するにはモニタ釦を操作するというように、これらの釦を目的に応じて区別して操作する必要がない。また、通話／モニタ釦の操作を検知するための釦操作検知部の回路構成も、従来のものより簡易になり、これを構成するための部品点数やコストを抑制することができる。
【００２９】
特に、請求項１，２では、待機状態で、通話／モニタ釦が操作されると、モニタ状態を実行するので、いきなり待機状態から通話状態に切り替わることがなく、万一お年寄り等が、誤って操作してしまっても、室内（親機側）の音声が玄関先（ドアホン子器側）に漏れることがない。
また、請求項３では、待機状態で、通話／モニタ釦を複数回操作すれば、待機状態→モニタ状態→通話状態→待機状態と順次切り替わるので、例えば、住居人が、玄関先の物音に気付いたときに、待機状態からモニタ状態にして玄関先の映像や音声を確認し、玄関先に客がいるときには、モニタ状態から通話状態にして客と通話する一方、玄関先に不審者がいるときには、モニタ状態から通話状態にしてその不審者を追い返し、それが終了すれば、通話状態から待機状態に戻すことができる。
【００３０】
また、請求項４，５では、待機状態における通話／モニタ釦の操作時間に応じて、通話状態とモニタ状態のいずれかを選択的に実行することができる。
また、請求項６，７では、待機状態における通話／モニタ釦の所定時間あたりの操作回数に応じて、通話状態とモニタ状態のいずれかを選択的に実行することができる。
【００３１】
更に、請求項８では、通話状態を実行中には、通話状態を実行中であることを表示手段によって表示するので、住居人はその旨を視認して、モニタ状態との区別を容易にすることができる。
【図面の簡単な説明】
【図１】テレビインターホン親機の内部構成の一例を示す図である。
【図２】テレビインターホン親機の外観の一例を示す図である。
【図３】釦操作検知部の構成の一例を示す図である。
【図４】テレビインターホン親機を使用したテレビインターホンシステムの構成の一例を示す図である。
【図５】第１実施例のテレビインターホン親機の動作の一例について説明するためのタイムチャートである。
【図６】第２実施例のテレビインターホン親機の動作の一例について説明するためのタイムチャートである。
【図７】第３実施例のテレビインターホン親機の動作の一例について説明するためのタイムチャートである。
【図８】第４実施例のテレビインターホン親機の動作の一例について説明するためのタイムチャートである。
【図９】従来のテレビインターホン親機を使用したテレビインターホンシステムの構成を示す図である。
【図１０】従来のテレビインターホン親機の釦操作検知部の構成を示す図である。
【符号の説明】
１・・・テレビインターホン親機
２・・・カメラ付ドアホン子器
１０・・・主制御部
１２Ｂ・・・表示灯
１４Ａ・・・通話／モニタ釦
【図１】
0003637558.tif 000002
【図２】
0003637558.tif 000003
【図３】
0003637558.tif 000004
【図４】
0003637558.tif 000005
【図５】
0003637558.tif 000006
【図６】
0003637558.tif 000007
【図７】
0003637558.tif 000008
【図８】
0003637558.tif 000009
【図９】
0003637558.tif 000010
【図１０】
0003637558.tif 000011